(57)【要約】【課題】スライド操作部材がスライド選択位置にある時にスライド操作部材のガタツキを抑え、品格を向上させる。【解決手段】保持部材１４にクリック凸部１９が形成され、背面パネル２３における操作部材保持部２４に第１のクリック凹部２４ａ及び第２のクリック凹部２４ｂを備え、スライド操作部材１２が第１の位置にある時にクリック凸部１９を第１のクリック凹部２４ａに嵌合させ、スライド操作部材１２が第２の位置にある時にクリック凸部１９を第２のクリック凹部２４ｂに嵌合させる構成としたことにより、スライド操作部材１２が第１の位置及び第２の位置にある時にガタツキを抑えることができ、スライド操作装置あるいはそれを備えたデジタルカメラの品格を向上させることができる。【選択図】図４
2010027405.tif 000002
【特許請求の範囲】
【請求項１】
筐体と、
前記筐体にスライド移動自在に配されたスライド部材とを備えたスライド操作装置であって、
前記スライド部材は、凸部を備え、
前記筐体は、前記凸部が嵌合可能な凹部を備えている、スライド操作装置。
【請求項２】
前記筐体における少なくとも前記凹部の近傍に溝部が形成されている、請求項１に記載のスライド操作装置。
【請求項３】
筐体と、
前記筐体にスライド移動自在に配されたスライド部材とを備えたスライド操作装置であって、
前記スライド部材は、凹部を備え、
前記筐体は、前記凹部が嵌合可能な凸部を備えている、スライド操作装置。
【請求項４】
前記筐体における少なくとも前記凸部の近傍に溝部が形成されている、請求項３に記載のスライド操作装置。
【請求項５】
前記スライド部材に接点を備え、
前記スライド部材の近傍にプリント基板を備え、
前記プリント基板は、前記接点が接触可能な位置に導電パターンを備えた、請求項１〜４のいずれかに記載のスライド操作装置。
【発明の詳細な説明】
【技術分野】
【０００１】
本発明は、機器の外部に露出したツマミを所定の方向にスライド操作することにより、機器の動作モードの切り換えなどの各種操作を行うことができるスライド操作装置に関する。
【背景技術】
【０００２】
各種電子機器には、電源のオン／オフを切り換えたり、動作モードを切り換えたりするためのスライド操作装置が搭載されていることが多い。スライド操作装置は、例えば、使用者によってスライド操作を行うことができるスライド操作部材と、スライド操作部材のスライド操作に連動して切り換えられるスイッチ素子とを備え、スライド操作部材を所定のスライド選択位置で位置決めが可能に構成されている。特許文献１には、スライド操作部材に対する弾性部材の弾性押圧力を可変させる調整部材を備えた構成が開示されている。
【特許文献１】実開昭６１−０８２３２６号公報
【発明の開示】
【発明が解決しようとする課題】
【０００３】
しかしながら上記従来の構成では、スライド操作部材がスライド選択位置にある時に、スライド操作部材にガタツキがあり、品格を低下させていた。
【０００４】
本発明の目的は、スライド操作部材がスライド選択位置にある時にスライド操作部材のガタツキを抑え、品格を向上させることができるスライド操作装置を実現することである。
【課題を解決するための手段】
【０００５】
本発明の第１のスライド操作装置は、筐体と、前記筐体にスライド移動自在に配されたスライド部材とを備えたスライド操作装置であって、前記スライド部材は、凸部を備え、前記筐体は、前記凸部が嵌合可能な凹部を備えているものである。
【０００６】
本発明の第２のスライド操作装置は、筐体と、前記筐体にスライド移動自在に配されたスライド部材とを備えたスライド操作装置であって、前記スライド部材は、凹部を備え、前記筐体は、前記凹部が嵌合可能な凸部を備えているものである。
【発明の効果】
【０００７】
本発明によれば、スライド操作部材がスライド選択位置にある時にスライド操作部材のガタツキを抑え、品格を向上させることができる。
【発明を実施するための最良の形態】
【０００８】
本発明のスライド操作装置は、上記構成を基本として以下のような態様をとることができる。すなわち、本発明のスライド操作装置は、筐体における少なくとも凸部または凹部の近傍に溝部を形成する構成とすることができる。このような構成とすることで、筐体をプレス成形する際に凸部または凹部の形状が歪むのを抑えることができる。よって、スライド操作部材のスライド操作をスムーズに行うことができる。
【０００９】
また、本発明のスライド操作装置は、前記スライド部材に接点を備え、前記スライド部材の近傍にプリント基板を備え、前記プリント基板は、前記接点が接触可能な位置に導電パターンを備えた構成とすることができる。このような構成とすることで、スイッチ素子を配置するためのスペースを不要とすることができ、当該スライド操作装置を搭載する機器を小型化することができる。
【００１０】
（実施の形態）
〔１．スライド操作装置を備えた機器の構成〕
図１Ａ及び図１Ｂは、本実施の形態におけるスライド操作装置を備えたデジタルカメラの斜視図である。図１Ｃは、デジタルカメラの背面図である。なお、本実施の形態では、スライド操作装置を搭載した機器の一例としてデジタルカメラを挙げたが、少なくともスライド操作が可能な操作装置を搭載可能な機器であればデジタルカメラに限らない。
【００１１】
図１Ａ〜図１Ｃに示すように、デジタルカメラ１は、その外郭が主に前面パネル２１、上面パネル２２、および背面パネル２３によって覆われている。少なくとも背面パネル２３は、アルミニウムなどの金属により形成されている。
【００１２】
また、デジタルカメラ１の前面１ｃには、外部の光をデジタルカメラ１内に取り込むことが可能な撮像部５が配されている。撮像部５は、主にレンズ、レンズ鏡筒５ｂから構成され、デジタルカメラ１の内部に配されている撮像素子まで光を導くことができる。
【００１３】
また、デジタルカメラ１の上面１ａ（上面パネル２２）には、押圧操作することで撮像素子で撮像している画像を取り込むことができるレリーズボタン２、回転操作することで撮像部５に配されたズームレンズを光軸方向へ移動させ光像の拡大や縮小を行うことができるズームレバー３、回転操作することにより通常撮影モードや近接撮影モードやパソコン接続モードなどの各種動作モードを選択可能なモードダイヤル４などが配されている。
【００１４】
また、図１Ｃに示すように、デジタルカメラ１の背面１ｄには、操作部６、液晶表示パネル７などが配されている。操作部６は、液晶表示パネル７に表示されるメニュー画面におけるカーソル移動操作や、ストロボの発光設定操作などを行うことができる。液晶表示パネル７は、撮像部５を介して入射する光像に基づき生成された画像（スルー画像）や、デジタルカメラ１に装着されたメモリカードなどの記録媒体から再生された画像などを表示することができる。また、背面１ｄには、スライド操作装置１１が配されている。スライド操作装置１１は、矢印ＡまたはＢに示す方向にスライド可能なスライド操作部材１２が配されている。
【００１５】
〔２．スライド操作装置の構成〕
図２Ａは、デジタルカメラ１の背面パネル２３におけるスライド操作装置１１の近傍の要部斜視図である。図２Ｂは、図２Ａに示す背面パネル２３の裏面側の構成を示す要部斜視図である。
【００１６】
スライド操作装置１１は、スライド操作部材１２と、保持部材１４とを備えている。スライド操作部材１２は、図２Ａに示す第１の位置と第２の位置（いずれもスライド選択位置。第２の位置は不図示）との間を、矢印Ａまたは矢印Ｂに示す方向へ移動可能に配されている。また、スライド操作部材１２は、背面パネル２３に形成された略長方形または略小判型の凹部２４ｆ（後述）内に配され、その表面（操作面）が背面パネル２３の表面に突出または露出して配されている。また、スライド操作部材１２は、図２Ａに示すようにその表面（操作面）に使用者の指などを引っ掛けやすいように凹凸が形成されている。保持部材１４は、背面パネル２３を挟んで、スライド操作部材１２の裏面側に配されている。また、保持部材１４は、スライド操作部材１２の裏面にネジ１５で固定されている。また、保持部材１４は、その側面にスイッチ素子３１のツマミ３２（後述）を嵌合させるための凹状のツマミ保持部１６が形成されている。なお、図２Ｂにおいて、スイッチ素子３１の図示は省略している。
【００１７】
図３Ａは、背面パネル２３におけるスライド操作部材１２等を保持させる部位近傍の要部斜視図である。図３Ｂは、図３Ａに示す位置における背面パネル２３の表面側の構成を示す要部斜視図である。図３Ａ及び図３Ｂは、図２Ａ及び図２Ｂに示す構成において、スライド操作部材１２、保持部材１４、ネジ１５を取り除いた構成を図示したものである。図３Ａに示すように、ガイド部２４ｃは、スライド操作部材１２を矢印ＡまたはＢに示す方向へスライド可能に保持する。ガイド部２４ｃの略中央には、孔部２４ｄが形成されている。また、ガイド部２４ｃには、第１のクリック凹部２４ａ及び第２のクリック凹部２４ｂが形成されている。第１のクリック凹部２４ａ及び第２のクリック凹部２４ｂは、所定の間隔を隔てて、スライド操作部材１２のスライド方向に並んで配されている。図３Ｂに示すように、孔部２４ｄの周囲には凹部２４ｆが形成されている。凹部２４ｆには、スライド操作部材１２がスライド可能に配置されている。
【００１８】
また、ガイド部２４ｃの周囲には溝部２４ｅが形成されている。本実施の形態の背面パネル２３は、アルミニウムをプレス成形することにより図１Ｃ等に示すような形状を実現している。このようなプレス成形法を用いて背面パネル２３を成形すると、第１のクリック凹部２４ａ及び第２のクリック凹部２４ｂの成形による影響により、孔部２４ｄの内面が波打った形状になる可能性がある。このような形状の歪みが生じると、スライド操作部材１２のスライド動作やクリック動作が不自然になってしまう。そこで本実施の形態のようにガイド部２４ｃの周囲に溝部２４ｅを形成することで、背面パネル２３における第１のクリック凹部２４ａ及び第２のクリック凹部２４ｂの成形による影響により、孔部２４ｄの内面が波打った形状ならないように補強することができる。これにより、ガイド部２３ｃの形状やクリック凹部２４ａ及び２４ｂの形状を安定させることができ、スライド操作部材１２のスライド動作やクリック動作をスムーズに行うことができる。
【００１９】
図４は、本実施の形態のスライド操作装置を背面パネル２３の背面側から見た平面図を示す。図４に示すように、背面パネル２３における保持部材１４の近傍にはスイッチ素子３１が配されている。スイッチ素子３１は、ツマミ３２を備えている。ツマミ３２は、図４に示す第１の位置と図６に示す第２の位置（後述）との間を、矢印ＡまたはＢに示す方向へ変位可能である。ツマミ３２を第１の位置または第２の位置に変位させることにより、スイッチ素子３１から異なる出力を得ることができる。なお、本実施の形態では、スイッチ素子３１として２接点のスイッチ素子を用い、第１の位置に切り換えた時にデジタルカメラ１を撮影モードに移行させることができ、第２の位置に切り換えた時にデジタルカメラ１を再生モードに移行させることができるような構成とした。また、ツマミ３２は、その先端が保持部材１４に形成されたツマミ保持部１６に保持されている。これにより、保持部材１４に一体的に配されたスライド操作部材１２が矢印ＡまたはＢに示す方向へスライド操作されるのに伴い、ツマミ３２は矢印ＡまたはＢに示す方向へ変位する。また、保持部材１４は、その移動軸を挟んでツマミ保持部材１６の反対側に開口部２０が形成されている。開口部２０の外側には、付勢部１８が形成されている。付勢部１８は、少なくとも矢印Ｃ及びＤに示す方向へ弾性変形可能なように、保持部材１４に一体形成されている。付勢部１８の長手方向の略中央には開口部２０に向かって突出したクリック凸部１９が形成されている。クリック凸部１９は、保持部材１４の矢印ＡまたはＢに示す方向への移動に伴って、第１のクリック凹部２４ａ及び第２のクリック凹部２４ｂのうちいずれか一方に選択的に嵌合可能である。
【００２０】
次に、スライド動作について説明する。
【００２１】
まず、スライド操作部材１２が図１Ｃ及び図２Ａに示す第１の位置にある状態（デジタルカメラ１における撮影モードが選択されている状態）を初期状態とする。この状態では、保持部材１４及びツマミ３２は、図４に示す位置にある。また、保持部材１４に形成されたクリック凸部１９は、第１のクリック凹部２４ａに嵌合しているため、保持部材１４及びスライド操作部材１２の矢印Ａ及びＢに示す方向へのガタツキが抑えられている。
【００２２】
図１Ｃに示す状態から、使用者がスライド操作部材１２を矢印Ａに示す方向へスライド操作すると、スライド操作部材１２は、背面パネル２３に形成された凹部２４ｆに案内されて移動する。また、図４に示すように、スライド操作部材１２に一体的に配された保持部材１４も、ガイド部２４ｃに案内されて矢印Ａに示す方向へ移動する。保持部材１４が図４に示す位置から矢印Ａに示す方向へ移動する際、クリック凸部１９が第１のクリック凹部２４ａから離脱する。この時、図５に示すように、クリック凸部１９は、第１のクリック凹部２４ａと第２のクリック凹部２４ｂとの間の凸状部分に乗り上げるため、付勢部１８が矢印Ｃに示す方向へ弾性変形する。
【００２３】
図５に示す状態からさらにクリック操作部材１２（保持部材１４）を矢印Ａに示す方向へ移動させると、図６に示すようにクリック凸部１９が第２のクリック凹部２４ｂに嵌合する。クリック凸部１９は第２のクリック凹部２４ｂにガタツキが抑えられた状態で嵌合するため、クリック操作部材１２及び保持部材１４は第２の位置にある状態においてガタツキが抑えられている。
【００２４】
また、クリック操作部材１２及び保持部材１４を、図６に示すように第２の位置にある状態から矢印Ｂに示す方向へ移動させると、上記と逆の動作を行い、図５に示す状態を介して、図４に示すように第１の位置にある状態に移行させることができる。
【００２５】
〔３．実施の形態の効果、他〕
本実施の形態によれば、保持部材１４にクリック凸部１９が形成され、背面パネル２３における操作部材保持部２４に第１のクリック凹部２４ａ及び第２のクリック凹部２４ｂを備え、スライド操作部材１２が第１の位置（図１Ｃ等参照）にある時にクリック凸部１９を第１のクリック凹部２４ａに嵌合させ、スライド操作部材１２が第２の位置にある時にクリック凸部１９を第２のクリック凹部２４ｂに嵌合させる構成としたことにより、スライド操作部材１２が第１の位置及び第２の位置にある時にガタツキを抑えることができ、スライド操作装置あるいはそれを備えたデジタルカメラなどの機器の品格を向上させることができる。
【００２６】
また、操作部材保持部２４の周囲に溝部２４ｅを形成したことにより、背面パネル２３のプレス成形時に操作部材保持部２４に歪みが出るのを抑えることができる。よって、スライド操作部材１２のスライド動作やクリック動作をスムーズに行うことができる。
【００２７】
なお、本実施の形態では、スイッチ素子３１を２接点素子で構成し、撮影モードと再生モードの２つのモードを切り換え可能な構成としたが、スイッチ素子３１の接点数や切り換え可能なモードの数は２つに限定されない。
【００２８】
また、本実施の形態では、保持部材１４にクリック凸部１９を設け、背面パネル２３にクリック凹部２４ａ及び２４ｂを設けた構成としたが、保持部材１４に凹状のクリック凹部を設け、背面パネル２３に凸状のクリック凸部を設ける構成としてもよい。その場合は、スライド操作部材１２が第１の位置にある時にクリック凹部に嵌合する第１のクリック凸部と、スライド操作部材１２が第２の位置にある時にクリック凹部に嵌合する第２のクリック凸部を設ける。
【００２９】
また、本実施の形態では、スライド操作部材１２と保持部材１４とを別部材で構成したが、一体部材で構成することができる。このように構成することで、部品点数を削減し、コストダウンを図ることができる。
【００３０】
また、図７は、本実施の形態のスライド操作装置の他の構成例を示す平面図である。図８は、図７におけるＹ−Ｙ部の断面図である。図７及び図８に示す構成は、保持部材１４の裏面に接点ブラシ４２を備え、保持部材１４に隙間を挟んで対向した位置に配されたプリント基板４１に導電パターン４３を備えている。導電パターン４３は、プリント基板４１における接点ブラシ４２が接触可能な位置に配されている。接点ブラシ４２と導電パターン４３とは、電気的に接触している。このような構成とすることで、スイッチ素子３１が不要となるため、デジタルカメラ１内におけるスイッチ素子３１を配置するためのスペースを不要とすることができ、デジタルカメラ１を小型化することができる。また、スイッチ素子３１が不要となるため、コストダウンを図ることができる。なお、接点ブラシ４２は本発明の接点の一例であり、本発明の接点の形状は接点ブラシ４２の形状に限定されない。
【００３１】
また、本実施の形態におけるスライド操作部材１２及び保持部材１４は、本発明におけるスライド部材の一例である。
【産業上の利用可能性】
【００３２】
本発明は、スライド操作が可能なスライド操作装置に有用である。
【図面の簡単な説明】
【００３３】
【図１Ａ】実施の形態における撮影装置の外観を示す斜視図
【図１Ｂ】実施の形態における撮影装置の外観を示す斜視図
【図１Ｃ】実施の形態における撮影装置の外観を示す側面図
【図２Ａ】スライド操作装置の要部斜視図
【図２Ｂ】スライド操作装置の要部斜視図
【図３Ａ】背面パネルにおけるスライド操作装置が配される部位の要部斜視図
【図３Ｂ】背面パネルにおけるスライド操作装置が配される部位の要部斜視図
【図４】スライド操作部材が第１の位置にある時のスライド操作装置の要部斜視図
【図５】スライド操作部材が第１の位置と第２の位置との間にある時のスライド操作装置の要部斜視図
【図６】スライド操作部材が第２の位置にある時のスライド操作装置の要部斜視図
【図７】スライド操作装置の他の構成例を示す平面図
【図８】図７におけるＹ−Ｙ部の断面図
【符号の説明】
【００３４】
１１  スライド操作装置
１２  スライド操作部材
１４  保持部材
１９  クリック凸部
２４ａ  第１のクリック凹部
２４ｂ  第２のクリック凹部
【図１Ａ】
2010027405.tif 000003
【図１Ｂ】
2010027405.tif 000004
【図１Ｃ】
2010027405.tif 000005
【図２Ａ】
2010027405.tif 000006
【図２Ｂ】
2010027405.tif 000007
【図３Ａ】
2010027405.tif 000008
【図３Ｂ】
2010027405.tif 000009
【図４】
2010027405.tif 000010
【図５】
2010027405.tif 000011
【図６】
2010027405.tif 000012
【図７】
2010027405.tif 000013
【図８】
2010027405.tif 000014